(57)【要約】【課題】印刷中のジョブに与える影響を抑えつつ、割込みさせたい文書を本来の順序より早く印刷することのできる画像処理装置を提供すること。【解決手段】  印刷ジョブの出力時に別の印刷ジョブを出力処理中だった場合、別の印刷ジョブの処理中のページの用紙サイズを取得するサイズ取得手段と、取得した用紙サイズと前記印刷ジョブの印刷ページのサイズを足したサイズが当該画像処理装置で印刷可能なサイズであるかを判定する判定手段と、印刷が可能であると判定された場合、前記別の印刷ジョブの出力処理中のページと、印刷ジョブの印刷ページとを合成して前記足したサイズのイメージデータを作成する合成イメージング手段と、イメージングされたイメージデータを出力すべく、前記足したサイズではなく前記取得手段により取得したサイズの用紙と前記印刷ジョブの印刷ページのサイズの用紙を給紙する給紙手段と、給紙された用紙に前記イメージデータを出力する出力手段を有する。【選択図】図１
2014028494.tif 000002
【特許請求の範囲】
【請求項１】
受信した印刷ジョブを出力可能な画像処理装置であって、
前記印刷ジョブの出力時に別の印刷ジョブを出力処理中だった場合、前記別の印刷ジョブの処理中のページの用紙サイズを取得するサイズ取得手段と、
前記サイズ取得手段により取得した用紙サイズと前記印刷ジョブの印刷ページのサイズを足したサイズが当該画像処理装置で印刷可能なサイズであるかを判定する判定手段と、
前記判定手段により印刷が可能であると判定された場合、前記別の印刷ジョブの出力処理中のページと、前記印刷ジョブの印刷ページとを合成して前記足したサイズのイメージデータを作成する合成イメージング手段と、
前記合成イメージング手段によりイメージングされたイメージデータを出力すべく、前記足したサイズではなく前記取得手段により取得したサイズの用紙と前記印刷ジョブの印刷ページのサイズの用紙を給紙する給紙手段と、
前記給紙手段により給紙された用紙に前記イメージデータを出力する出力手段と、
を有することを特徴とする画像処理装置。
【請求項２】
前記合成イメージング手段により出力されたイメージデータを、前記別の印刷ジョブの処理中のページと、前記印刷ジョブの印刷ページとを別のトレイに排紙する排紙手段を更に有する請求項１記載の画像処理装置。
【請求項３】
前記排紙手段は、前記合成イメージング手段によりイメージデータが作成された際に決定される排紙先に従って排紙することを特徴とする請求項２記載の画像処理装置。
【請求項４】
受信した印刷ジョブを出力可能な画像処理装置の制御方法であって、
前記印刷ジョブの出力時に別の印刷ジョブを出力処理中だった場合、前記別の印刷ジョブの処理中のページの用紙サイズを取得するサイズ取得ステップと、
前記サイズ取得ステップにより取得した用紙サイズと前記印刷ジョブの印刷ページのサイズを足したサイズが当該画像処理装置で印刷可能なサイズであるかを判定する判定ステップと、
前記判定ステップにより印刷が可能であると判定された場合、前記別の印刷ジョブの出力処理中のページと、前記印刷ジョブの印刷ページとを合成して前記足したサイズのイメージデータを作成する合成イメージングステップと、
前記合成イメージングステップによりイメージングされたイメージデータを出力すべく、前記足したサイズではなく前記取得ステップにより取得したサイズの用紙と前記印刷ジョブの印刷ページのサイズの用紙を給紙する給紙ステップと、
前記給紙ステップにより給紙された用紙に前記イメージデータを出力する出力ステップと、
を有することを特徴とする画像処理装置の制御方法。
【請求項５】
受信した印刷ジョブを出力可能な画像処理装置を、
前記印刷ジョブの出力時に別の印刷ジョブを出力処理中だった場合、前記別の印刷ジョブの処理中のページの用紙サイズを取得するサイズ取得手段と、
前記サイズ取得手段により取得した用紙サイズと前記印刷ジョブの印刷ページのサイズを足したサイズが当該画像処理装置で印刷可能なサイズであるかを判定する判定手段と、
前記判定手段により印刷が可能であると判定された場合、前記別の印刷ジョブの出力処理中のページと、前記印刷ジョブの印刷ページとを合成して前記足したサイズのイメージデータを作成する合成イメージング手段と、
前記合成イメージング手段によりイメージングされたイメージデータを出力すべく、前記足したサイズではなく前記取得手段により取得したサイズの用紙と前記印刷ジョブの印刷ページのサイズの用紙を給紙する給紙手段と、
前記給紙手段により給紙された用紙に前記イメージデータを出力する出力手段と、
を有することを特徴とする画像処理装置として機能させるためのプログラム。
【発明の詳細な説明】
【技術分野】
【０００１】
本発明は、画像処理装置、画像処理装置の制御方法およびプログラムに関し、特に他の印刷ジョブの出力中に別の印刷ジョブの出力を同時に行う技術に関する。
【背景技術】
【０００２】
近年のオフィスや家庭などでは、ネットワークプリンタなどの画像処理装置を複数ユーザで共有することが行われている。そして大量の印刷が行われた場合などは、印刷ジョブが蓄積され、順番に印刷されるようになっている。
【０００３】
先に印刷を行いたいユーザは、割込み印刷を行うことで、印刷中のジョブを止めて蓄積されたジョブに割込んで印刷することが行われている。しかしながら、割込まれるユーザはジョブの出力が遅れることになるので、特許文献１では、これを防ぐために印刷ジョブを処理する画像形成装置を割込み禁止することで、割込みジョブを投入させない技術が公開されている。
【先行技術文献】
【特許文献】
【０００４】
【特許文献１】特開２００７―２６６６９８号公報
【発明の開示】
【発明が解決しようとする課題】
【０００５】
しかしながら、特許文献１によれば、割込みを禁止にすることで、印刷中のジョブが止められることは防ぐことができるが、実際に急いでプリントしたい場合などに対応できない。そこで、本発明では、印刷中のジョブに与える影響を抑えつつ、割込みさせたい文書を本来の順序より早く印刷することのできる画像処理装置を提供することを課題とする。
【課題を解決するための手段】
【０００６】
受信した印刷ジョブを出力可能な画像処理装置であって、前記印刷ジョブの出力時に別の印刷ジョブを出力処理中だった場合、前記別の印刷ジョブの処理中のページの用紙サイズを取得するサイズ取得手段と、前記サイズ取得手段により取得した用紙サイズと前記印刷ジョブの印刷ページのサイズを足したサイズが当該画像処理装置で印刷可能なサイズであるかを判定する判定手段と、前記判定手段により印刷が可能であると判定された場合、前記別の印刷ジョブの出力処理中のページと、前記印刷ジョブの印刷ページとを合成して前記足したサイズのイメージデータを作成する合成イメージング手段と、前記合成イメージング手段によりイメージングされたイメージデータを出力すべく、前記足したサイズではなく前記取得手段により取得したサイズの用紙と前記印刷ジョブの印刷ページのサイズの用紙を給紙する給紙手段と、前記給紙手段により給紙された用紙に前記イメージデータを出力する出力手段と、を有することを特徴とする。
【発明の効果】
【０００７】
本発明によれば、印刷中のジョブに与える影響を抑えつつ、割込みさせたい文書を本来の順序より早く印刷することが可能となる。
【図面の簡単な説明】
【０００８】
【図１】本発明の実施形態に係る画像処理システムのシステム構成図である。
【図２】本発明の実施形態に係る画像処理システムに適用可能な情報処理装置のハードウェア構成図である。
【図３】本発明の実施形態に係る画像処理システムに適用可能なソフトウェア構成図である。
【図４】本発明の実施形態に係る画像処理装置における全体処理の流れを示すフローチャートである。
【図５】本発明の実施形態に係る画像処理装置における印刷／排紙処理の流れを示すフローチャートである。
【図６】本発明の実施形態に係る画像処理システムにおけるプリントイメージ管理データの一例を示す図である。
【図７】本発明の実施形態に係る画像処理システムにおける排紙管理テーブルの一例を示す図である。
【図８】本発明の実施形態に係る画像処理システムにおける割込み（合成）プリントのイメージを示す図である。
【図９】本発明の実施形態に係る画像処理装置における設定画面の一例を示す図である。
【図１０】本発明の実施形態に係る画像処理装置の印刷ジョブ一覧画面の一例を示す面である。
【発明を実施するための形態】
【０００９】
以下、図面を参照して、本発明の実施形態を詳細に説明する。
【００１０】
図１は、本発明の実施形態に係る画像処理システムのシステム構成図である。
【００１１】
尚、図１の画像処理システムのシステム構成は一例であり、用途や目的に応じて様々な構成を採ることができる。
【００１２】
画像処理システムとして、クライアント装置１０１、複合機１０２、プリンタ１０３およびサーバ装置１０４が通信ネットワーク５００を介して通信可能な状態で接続されている。それぞれの装置は複数台数設置可能である。
【００１３】
クライアント装置１０１は、ネットワーク上に接続された複数のプリンタに印刷をすることが可能である。画像処理装置はクライアントより受信した印刷ジョブを出力可能である。
【００１４】
複合機１０２は、クライアント装置１０１から受付けたデータを印刷することが可能である。受付けた印刷ジョブをすぐに印刷することも可能であるし、ボックスと呼ばれる記憶領域に一旦記憶したものを出力することも可能である。印刷以外にもコピー、スキャナやＦＡＸとして利用することも可能である。
【００１５】
また、複合機１０２の操作パネルは、さまざまな要求を受付けることができる。本発明における割込み印刷の受付はこの操作パネルから行うものとして説明する。
【００１６】
本実施形態では、まずクライアント装置１０１から複合機１０２に対して印刷の指示を行う。そして、印刷ジョブが滞留していてすぐに印刷できない場合、ユーザが複合機１０２の操作パネルを操作することで割込み印刷を行うようにしている。
【００１７】
割込み印刷の制御は、複合機１０２で行ってもよいし、サーバ装置１０４で行ってもよい。また、機能を分担してどちらかの装置に持たせることも可能である。また、割込み印刷は複合機１０２で行ってもよいし、プリンタ１０３で行ってもよい。その場合、割込み印刷の制御は、プリンタ１０３かサーバ装置１０４で行うこととなる。
【００１８】
図２は、本発明の実施形態に係る画像処理システムに適用可能な情報処理装置のハードウェア構成図である。複合機１０２やサーバ装置１０４として適用可能である。
【００１９】
プログラム用ＲＯＭ２０３に記憶されたプログラムに基づいてシステムバス２００に接続された各デバイスを制御し、情報処理装置全体を統括制御する。
【００２０】
また、データ用ＲＯＭ２０４には各種データが記憶される。２０２はＲＡＭで、ＣＰＵ２０１の主メモリ，ワークエリア等として機能する。
【００２１】
２０５はキーボードコントローラ（ＫＢＣ）で、キーボード（ＫＢ）２０９や図示しない、例えばマウスなどのポインティングデバイスからの入力を制御する。
【００２２】
２０６はディスプレイコントローラ（ＤＣ）で、ディスプレイ２１０の表示を制御する。なお、ディスプレイはＣＲＴであってもＬＣＤ等のその他の形式の表示装置であってもよい。
【００２３】
２０７はメモリコントローラ（ＭＣ）で、ハードディスク（ＨＤ）２１１とのアクセスを制御する。
【００２４】
２０８は周辺機器接続インタフェース（ＵＳＢ  Ｉ／Ｆ）で、図示しない可搬型記憶媒体やその他の周辺機器とのアクセスを制御する。
【００２５】
２２０はネットワークインタフェース（ＮＷ  Ｉ／Ｆ）で、ネットワーク１５０を介して出力装置２３０との通信を制御する。
【００２６】
図３は、本発明の実施形態に係る画像処理システムに適用可能なソフトウェア構成図である。
【００２７】
図２におけるＣＰＵ２０１等のハードウェア構成が互いに協働して動作することにより機能するソフトウェア構成となっている。
【００２８】
各種データは、ハードディスク２１１等に記憶可能である。
【００２９】
複合機１０２には、印刷ジョブ情報３１１、プリントイメージ管理データ３１２、排紙管理テーブル３１３、および設定情報３１４が記憶されている。
【００３０】
印刷ジョブ情報は３１１では、複合機が処理している印刷ジョブの情報を管理している。ここで管理されているジョブの印刷中に、後から印刷されるジョブが割込み印刷が行われることになる。詳細については図１０にて説明する。
【００３１】
プリントイメージ管理データ３１２は、印刷中の印刷ジョブのプリントイメージを管理したものである。詳細については図６にて説明する。
【００３２】
排紙管理テーブル３１３は、印刷が行われた用紙の排紙を管理するためのテーブルである。詳細については図７にて説明する。
【００３３】
設定情報３１４は、画像管理システムに対してなされた設定情報を記憶するものである。例えば複合機１０２の操作パネルからユーザモードなどを利用して設定された項目などが記憶される。この設定には、割込み印刷を許可「する」「しない」の設定なども含まれる。
【００３４】
プリントイメージ管理部３０１は、取得したプリントイメージからプリントイメージ管理データや排紙管理テーブルの作成を行う。また、割込み印刷を行う場合には、処理中のプリントイメージに割込みデータのイメージを合成し、新しいプリントイメージの生成を行う。
【００３５】
割込み印刷制御部３０２は、割込み印刷の可否を判定や、画像処理システムの割込み印刷に関する全体の制御を行う。
【００３６】
排紙管理部３０３では、プリントイメージが印刷された後の排紙を管理する。これにより、処理中であった印刷ジョブと割込んだ印刷ジョブが別々のトレイに排紙されるよう制御することができる。
【００３７】
図４は、本発明の実施形態に係る画像処理装置における全体処理の流れを示すフローチャートである。
【００３８】
それぞれの処理ステップはＣＰＵ２０１がそれぞれのプログラムＲＯＭ２０３やＨＤＤ２１１からプログラムを読み込み、ＲＡＭ２０２へ展開し実行することにより、実現される。
【００３９】
本フローチャートは、画像処理装置の操作パネルから割込み印刷が選択された時に処理が開始される。操作パネルのイメージについて、図１０を用いて説明する。
【００４０】
図１０は、本発明の実施形態に係る画像処理装置の印刷ジョブ一覧画面の一例を示す図である。
【００４１】
本画面は、タブによりジョブ１００１が選択され表示されているものである。他のタブとしては、用紙やその他がある。
【００４２】
印刷ジョブ一覧画面には、時刻１００２、ジョブ名１００３、ユーザ名１００４、状況１００５、待ち時間（約）１００６が表示されている。時刻１００２には、文書が印刷された時刻が表示されている。
【００４３】
ジョブ名１００３には、印刷ジョブのジョブ名が表示されており、本実施例では、「文書Ａ」「文書Ｂ」「文書Ｃ」の３つのジョブが処理中である。ユーザ名１００４では、印刷を行ったユーザ名を表示することが可能である。
【００４４】
状況１００５には、該当する印刷ジョブの状態が表示され、待ち時間（約）１００６には、該当する印刷ジョブの印刷が完了するまでのおおよその時間が表示される。ユーザはこの機能により待機時間を知ることができ、割込みプリントや優先プリントを選択する。
【００４５】
割込み（合成）プリント１００７は、本願発明を適用可能な割込み印刷を実行するボタンである。印刷中のジョブのページと割込み印刷のジョブのページを合成する割込み印刷が実行される。
【００４６】
割込み／優先プリント１００８が押下されると、従来技術で示した割込み印刷が実行される。実行中のジョブを中断して、選択したジョブを優先的にプリントする「割込みプリント」と選択したジョブを実行中のジョブの次に優先的にプリントする「優先プリント」の２種の選択が可能である。
【００４７】
詳細情報１００９を押下すると、選択中のジョブに関する詳細情報が表示される。中止１０１０が押下されると状況確認画面が終了する。
【００４８】
例えば「文書Ｂ」を印刷したユーザが、印刷中の「文書Ａ」に対して割込み印刷を行いたい場合は、「文書Ｂ」を選択した状態で割込み（合成）プリント１００７を押下することで「文書Ａ」に対する割込み印刷の処理が開始される。割込み印刷を許可するか否かは複合機１０２で設定する。
【００４９】
図９は、本発明の実施形態に係る画像処理装置における設定画面の一例を示す図である。
【００５０】
本画面は、複合機１０２上で、設定画面を呼び出すボタン、例えばユーザモードボタンを押下することで表示される。設定モードであるユーザモードから割込み（合成）プリントの設定を選択すると、設定画面９０１が表示される。
【００５１】
割込み（合成）プリントの設定９０２で、割込み印刷を許可するかしないかの設定を行う。許可する場合は「ＯＮ」許可しない場合は「ＯＦＦ」を選択する。実施例では、「ＯＦＦ」が選択された状態となっており、割込み文書に関する設定はできないようにグレーアウトされている。
【００５２】
「ＯＮ」９０３を選択すると、割込み文書に関する設定が表示され、選択できるようになる。割込み文書に関する設定である、割込み文書排出トレイ９０４では、メイン文書である処理中の印刷ジョブと割込み文書を同じトレイに排出するのか、別のトレイに排出するのかを選択する。
【００５３】
同じトレイであっても言排紙の位置をずらすように排紙することで、２つの印刷ジョブが混在することを防ぐことができる。「ＯＮ」を選択すると付図示のページ入力画面が表示される。
【００５４】
割込み文書の最大ページ数９０５では、割込み印刷を許可する割込み文書の最大ページ数を設定することができる。これによりあまりにも大量の枚数の割込みを防ぐなど細かい制御をすることができる。
【００５５】
割込み文書のページ順９０６では、「ＯＦＦ」が選択されると、出力する割込み文書のページ順を考慮しなくなり、印刷中のページと合成可能なページから出力することが可能となる。
【００５６】
ＯＫ９０８を押下することで設定が設定情報３１４に記憶され、キャンセル９０７を押下すると本画面を終了して前の画面に戻る。（もしくはユーザモードを終了する。）図４の説明に戻る。
【００５７】
ステップＳ４０１で割込み印刷が可能かどうかの判定を行う。割込み（合成）プリント１００７を押下した時に、判定される。不可な場合は、選択できないよう例えばグレーアウトしてボタンを表示することも可能である。割込み印刷が可能かどうかの設定は、設定情報３１４に記憶されているものを利用する。
【００５８】
割込み印刷が許可されていない場合は通常の印刷となるので、本フローは終了する。割込み印刷が許可されていた場合には、ステップＳ４０２に進みメイン文書のプリントイメージを取得し、ステップＳ４０３ではメイン文書の印刷用紙サイズを取得し、ステップＳ４０４でプリントイメージ管理データを生成する。メイン文書とは、印刷中である、割込み文書とは別の印刷ジョブのことを指す。
【００５９】
ステップＳ４０５では、割込み文書の印刷情報を取得する。この流れを図８のイメージ図を用いて説明する。
【００６０】
図８は、本発明の実施形態に係る画像処理システムにおける割込み（合成）プリントのイメージを示す図である。
【００６１】
現状８０１の印刷は、文書Ａ８０２をイメージング／プリントした印刷結果についてのイメージである。文書Ａの１ページ目Ａ４サイズ、２ページ目Ａ４サイズである。これをイメージング／プリント８０３すると印刷結果８０４が得られる。
【００６２】
これに対して割込み（合成）プリント８０５の場合は、文書Ａ８０６に対して、割込み文書である文書Ｂが割込み印刷される場合のイメージである。メイン文書である処理中の文書Ａ８０６の１ページ目が印刷される場合、文書Ｂ８１１の１ページ目が合成可能か否かを判定する。
【００６３】
文書Ａの１ページ目８０７と文書Ｂの１ページ８０８目は双方ともにＡ４サイズであるので、これらをまとめてＡ３サイズのデータとして合成してイメージングする。合成してイメージングされて印刷する場合、用紙はＡ３用紙ではなく、Ａ４用紙を２枚同時に続けて給紙／搬送し、Ａ３でイメージングされたデータを印刷する。そして、トレイ１に文書Ａの１ページ目８０９を排紙し、トレイ２に文書Ｂの１ページ目を排紙する。図４の説明に戻る。
【００６４】
ステップＳ４０６で同時プリント可能、すなわち処理のページの用紙サイズを取得し、割込み文書の印刷ページの用紙と合成可能か否かの判定を行う。合成が可能か否かは、合成したいページが同じサイズであって、合成後のサイズがイメージング可能なサイズである場合に可能と判定することができる。
【００６５】
例えば、Ａ４とＡ４であればＡ３でイメージングを行えばよいし、通常のはがきとはがきであれば、往復はがきのサイズでイメージングを行えばよい。例えばメイン文書がＡ４で割込み文書がＡ５のように用紙のサイズが異なる場合でも出力する用紙を双方ともにＡ４サイズとし、Ａ３で合成してイメージングすることにより出力が可能である。
【００６６】
ステップＳ４０６で同時プリントが可能でないと判定された場合、ステップＳ４０９に進み、メイン文書を対象として排紙管理テーブルを作成または更新する処理を行う。一方、同時プリントが可能であると判定された場合、ステップＳ４０７に進み、メイン文書のプリントイメージに割込み文書のプリントイメージを合成し、新たなプリントイメージを生成する。
【００６７】
ステップＳ４０８ではプリントイメージ管理データに、合成した割込み文書の情報を付加し、ステップＳ４０９では、排紙管理テーブルを作成または更新する。
【００６８】
ここで、プリントイメージ管理データおよび排紙管理テーブルについて、図６、図７を利用して説明する。
【００６９】
図６は、本発明の実施形態に係る画像処理システムにおけるプリントイメージ管理データの一例を示す図である。
【００７０】
図４のステップＳ４０４の印刷管理用データ作成ステップで作成されるデータである。プリントイメージ管理データ６０１は、印刷ジョブの１ページ分の管理データである。このデータは印刷するページ分作成される。
【００７１】
実施例では（１）から（５）の項目を管理しており、１ページあたりの文書数（１）では、通常文書すなわち割込み（合成）が行われてない場合は、「１」が設定される。また、通常文書と割込み文書が合成されて１ページとしてイメージングされた場合は、「２」が設定される。
【００７２】
１文書目の出力データ（２）と１文書目の排紙先（３）には、メイン文書の１ページ分の情報が設定される。割込み文書があるときは、２文書目の出力データ（４）と２文書の排紙先（５）が設定される。１文書目の情報６０２と２文書目の情報６０３を合わせて記憶することにより、メイン文書と割込み文書を同時に印刷することが可能となる。
【００７３】
より具体的には、通常出力のときの１ページ６０４には、割込み文書が含まれない状態として、（１）から（３）の３項目が６０５のように１ページ分として記憶される。
【００７４】
同様に割込み文書があるときの１ページ６０６には、（１）から（５）の５項目が６０７のように１ページ分として記憶される。この例では、通常文書と割込み文書で１ページが構成されており、文書Ａの１ページ目はトレイ１に排紙され、文書Ｂの１ページ目はトレイ２に排紙されることになる。
【００７５】
図７は、本発明の実施形態に係る画像管理システムにおける排紙管理テーブルの一例を示す図である。
【００７６】
図４のステップＳ４０９の排紙管理テーブル更新処理で、更新されるものである。テーブルがない場合には新規に作成される。
【００７７】
排紙管理テーブル７０１は、通常出力７０２と割込み発生時の出力７０３の２種類のテーブルを有する。テーブルに記憶されている内容は、プリント管理データ６０１から全ページ分を取得する。
【００７８】
通常出力７０２は、割込みが発生していない状態の排紙管理テーブルである。出力データである文書Ａの１ページ目は、トレイ１が排紙先として設定されている。同様に文書Ａの２ページ目および３ページ目もトレイ１に排紙される。
【００７９】
割込み発生時の出力７０３は、割込みが発生した時の排紙管理テーブルである。文書Ｂの１ページ目と文書Ａの３ページ目が１ページ分のデータ７０４としてイメージングされる。
【００８０】
１ページとして印刷された後、割込み文書である文書Ｂの１ページ目はトレイ２に、メイン文書である文書Ａの３ページ目はトレイ１に排紙される。同様に、１ページ分のデータ７０５は、１ページとして印刷された後、割込み文書である文書Ｂの２ページ目はトレイ２に、メイン文書である文書Ａの４ページ目はトレイ１に排紙される。
【００８１】
このように排紙先を管理することにより、メイン文書はトレイ１に、割込み文書はトレイ２にまとまった状態で排紙することができる。
【００８２】
なお、図６および図７では、通常出力の場合と割込み発生時の場合とで、それぞれテーブルを管理していたが、割込み発生時（割込み文書があるとき）の場合だけ管理するようにしてもよい。また、プリントイメージ管理データと排紙管理テーブルを同一のテーブルとして管理することも可能である。図４の説明に戻る。
【００８３】
ステップＳ４１０で、印刷と排紙を行う印刷／排紙処理を実行する。詳細については、図５にて説明する。
【００８４】
ステップＳ４１１で、割込み文書である文書Ｂの全ページの印刷が完了したかの判定を行う。印刷が完了したら処理を終了し、完了していない場合ステップＳ４０２に戻り印刷が終了するまで処理を繰り返す。
【００８５】
図５は、本発明の実施形態に係る画像処理装置における印刷／排紙処理の流れを示すフローチャートである。
【００８６】
図４のステップＳ４１０の印刷／排紙処理に対応する。ステップＳ５０１では、印刷ジョブの先頭ページの印刷処理を行う。
【００８７】
ステップＳ５０２では、印刷した出力物をどのトレイに排紙するのかを管理する排紙管理テーブルを取得する。排紙管理テーブルについて図７を用いて説明する。
【００８８】
ステップＳ５０３で、印刷した出力物をどの排紙トレイに排紙するのかを、排紙管理テーブルより判定する。第１のトレイであると判定された場合は、ステップＳ５０５で、第１のトレイに排紙する。
【００８９】
一方、第２のトレイであると判定された場合は、ステップＳ５０４で第２のトレイに排紙する。本実施形態では、トレイ１を第１のトレイ、トレイ２を第２のトレイとして説明しているが、これに限ったものでなくてもよい。メイン文書と割込み文書の排紙先が異なるようになればよいので、例えばトレイの３や４などを利用することも可能である。
【００９０】
ステップＳ５０６では、全ページの印刷が完了したか判定を行い、完了した場合は、処理を終了し、完了していない即ち未印刷のページが残っている場合は、ステップＳ５０１に戻り処理を繰り返す。
【００９１】
これらの処理により、印刷中のジョブに与える影響を抑えつつ、割込みさせたい文書を本来の順序より早く印刷することができる。
【００９２】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。また、画像処理システムの全体の処理は、画像処理装置が行うようにしてもよいし、サーバ装置と処理を分担することも可能である。
【００９３】
また、本発明におけるプログラムは、本発明に示すフローチャートの処理方法をコンピュータが実行可能なプログラムであり、本発明の記憶媒体はコンピュータが実行可能なプログラムが記憶されている。なお、本発明におけるプログラムは各装置の処理方法ごとのプログラムであってもよい。
【００９４】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【００９５】
この場合、記録媒体から読み出されたプログラム自体が本発明の新規な機能を実現することになり、そのプログラムを記憶した記録媒体は本発明を構成することになる。
【００９６】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク、ソリッドステートドライブ等を用いることができる。
【００９７】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００９８】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００９９】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１００】
さらに、本発明を達成するためのプログラムをネットワーク上のサーバ、データベース等から通信プログラムによりダウンロードして読み出すことによって、そのシステムあるいは装置が、本発明の効果を享受することが可能となる。
【０１０１】
なお、上述した各実施形態およびその変形例を組み合わせた構成も全て本発明に含まれるものである。
【符号の説明】
【０１０２】
１０１  クライアント装置
１０２  複合機
１０３  プリンタ
１０４  サーバ装置
【図１】
2014028494.tif 000003
【図２】
2014028494.tif 000004
【図３】
2014028494.tif 000005
【図４】
2014028494.tif 000006
【図５】
2014028494.tif 000007
【図６】
2014028494.tif 000008
【図７】
2014028494.tif 000009
【図８】
2014028494.tif 000010
【図９】
2014028494.tif 000011
【図１０】
2014028494.tif 000012